(57)【要約】【課題】マルチ領域動作検知機能を有する監視システムおよびその方法を提供する。【解決手段】表示装置、領域選択装置およびしきい値入力装置を備える。表示装置は監視画面を表示する。領域選択装置は監視画面上で第１の領域１０４および第２の領域１０６を選択する。しきい値入力装置は、第１の領域１０４の動作検知しきい値および第２の領域１０６の動作検知しきい値を設定する。第１の領域１０４の動作検知結果が第１の領域１０４の動作検知しきい値を超えるときに、監視画面を記憶媒体へ保存する。第２の領域１０６の動作検知結果が第２の領域１０６の動作検知しきい値を超えるときに、監視画面を記憶媒体へ保存する。【選択図】図１
2006279919.tif 000002
【特許請求の範囲】
【請求項１】
監視画面を表示する表示装置と、
前記監視画面上で第１の領域および第２の領域を選択する領域選択装置と、
前記第１の領域の動作検知しきい値および前記第２の領域の動作検知しきい値を設定するしきい値入力装置とを少なくとも備えるマルチ領域動作検知（motion detection）機能を有する監視システムであって、
前記第１の領域の動作検知結果が前記第１の領域の前記動作検知しきい値を超えるときに、前記監視画面を記憶媒体へ保存し、前記第２の領域の動作検知結果が前記第２の領域の前記動作検知しきい値を超えるときに、前記監視画面を前記記憶媒体へ保存することを特徴とするマルチ領域動作検知機能を有する監視システム。
【請求項２】
前記領域選択装置は、前記第１の領域および前記第２の領域を画面で選択するマウスを備えることを特徴とする請求項１記載のマルチ領域動作検知機能を有する監視システム。
【請求項３】
前記しきい値入力装置は、マウスで制御して移動し、前記第１の領域の前記動作検知しきい値および前記第２の領域の前記動作検知しきい値を調整する少なくとも一つの選択移動バーを備えることを特徴とする請求項１記載のマルチ領域動作検知機能を有する監視システム。
【請求項４】
前記しきい値入力装置は、前記第１の領域の前記動作検知しきい値および前記第２の領域の前記動作検知しきい値を入力する少なくとも一つのスクリーン入力ブロックを備えることを特徴とする請求項１記載のマルチ領域動作検知機能を有する監視システム。
【請求項５】
前記記憶媒体はハードディスクを備えることを特徴とする請求項１記載のマルチ領域動作検知機能を有する監視システム。
【請求項６】
監視画面を表示する表示装置と、
前記監視画面上で第１の領域および第２の領域を選択する領域選択装置と、
前記第１の領域の前記動作検知しきい値および前記第２の領域の前記動作検知しきい値を設定するしきい値入力装置とを少なくとも備えるマルチ領域動作検知（motion detection）機能を有する監視システムであって、
前記第１の領域の動作検知結果が前記第１の領域の前記動作検知しきい値を超え、前記第２の領域の動作検知結果が前記第２の領域の前記動作検知しきい値を超えるときに、前記監視画面を記憶媒体へ保存することを特徴とするマルチ領域動作検知機能を有する監視システム。
【請求項７】
監視画面上で第１の領域を選択するステップと、
前記監視画面上で第２の領域を選択するステップと、
前記第１の領域の動作検知しきい値を設定するステップと、
前記第２の領域の動作検知しきい値を設定するステップと、
前記第１の領域の動作検知結果が前記第１の領域の前記動作検知しきい値を超えるときに、前記監視画面を記憶媒体へ保存するステップと、
前記第２の領域の動作検知結果が前記第２の領域の前記動作検知しきい値を超えるときに、前記監視画面を前記記憶媒体へ保存するステップと、
を少なくとも含むことを特徴とするマルチ領域動作検知の方法。
【請求項８】
前記第１の領域および前記第２の領域を選択するステップは、マウスを利用して画面で選択する方式により行うことを特徴とする請求項７記載のマルチ領域動作検知の方法。
【請求項９】
前記第１の領域および前記第２の領域の前記動作検知しきい値を設定するステップは、
少なくとも一つの選択移動バーを移動して前記第１の領域の前記動作検知しきい値および前記第２の領域の前記動作検知しきい値を調整するステップを含むことを特徴とする請求項７記載のマルチ領域動作検知の方法。
【請求項１０】
前記第１の領域および前記第２の領域の前記動作検知しきい値を設定するステップは、
スクリーンにより前記第１の領域の前記動作検知しきい値および前記第２の領域の前記動作検知しきい値を入力するステップを含むことを特徴とする請求項７記載のマルチ領域動作検知の方法。
【請求項１１】
監視画面上で第１の領域を選択するステップと、
前記監視画面上で第２の領域を選択するステップと、
前記第１の領域の動作検知しきい値を設定するステップと、
前記第２の領域の動作検知しきい値を設定するステップと、
前記第１の領域の動作検知結果が前記第１の領域の前記動作検知しきい値を超え、前記第２の領域の動作検知結果が前記第２の領域の前記動作検知しきい値を超えるときに、前記監視画面を前記記憶媒体へ保存するステップと、
を少なくとも含むことを特徴とするマルチ領域動作検知の方法。
【請求項１２】
監視画面上で複数の領域を選択するステップと、
それぞれの領域に対して動作検知感度を設定するステップと、
を少なくとも含むことを特徴とするマルチ領域動作検知の方法。
【請求項１３】
前記領域は第１の領域および第２の領域を備え、前記動作検知感度を設定するステップは、
前記第１の領域の動作検知しきい値を設定するステップと、
前記第２の領域の動作検知しきい値を設定するステップと、
前記第１の領域の動作検知結果が前記第１の領域の前記動作検知しきい値を超えるときに、前記監視画面を記憶媒体へ保存するステップと、
前記第２の領域の動作検知結果が前記第２の領域の前記動作検知しきい値を超えるときに、前記監視画面を前記記憶媒体へ保存するステップと、
を含むことを特徴とする請求項１２記載のマルチ領域動作検知の方法。
【請求項１４】
前記第１の領域および前記第２の領域を選択するステップは、マウスを利用して画面で選択する方式により行うことを特徴とする請求項１２記載のマルチ領域動作検知の方法。
【請求項１５】
第１の領域および第２の領域の動作検知しきい値を設定するステップは、
少なくとも一つの選択移動バーを移動して前記第１の領域の前記動作検知しきい値および前記第２の領域の前記動作検知しきい値を調整するステップを含むことを特徴とする請求項１２記載のマルチ領域動作検知の方法。
【請求項１６】
第１の領域および第２の領域の動作検知しきい値を設定するステップは、
スクリーンにより前記第１の領域の前記動作検知しきい値および前記第２の領域の前記動作検知しきい値を入力するステップを含むことを特徴とする請求項１２記載のマルチ領域動作検知の方法。
【発明の詳細な説明】
【技術分野】
【０００１】
本発明は監視システムおよびその方法に関し、特にマルチ領域動作検知機能を有する監視システムおよびその方法に関する。
【背景技術】
【０００２】
監視システムは、長時間の監視画面が大きな記憶容量を占有するため、動作検知（motion detection）という技術が現れた。この動作検知の技術はリアルタイムで監視画面を検知することができる。そして監視画面に動きが現れたときにだけ録画を行ったり警告メッセージを発したりして、監視画面に動作が現れないときには録画も警告メッセージも発しない。
【０００３】
しかし、長時間の監視画面では動作検知が誤判断されることがよくあった。屋内の監視システムを例にすると、外部の天気や太陽光線の変化が窓を通して監視画面に影響を与え、動作検知のシステムが録画を開始したり警告メッセージを発したりしてしまうといった誤判断をすることがあった。
【０００４】
屋外の監視システムも同様の問題があった。例えば、道路上の途切れることのない車両の流れや街を通る多くの通行人が原因となって動作検知システムが誤判断し、必要でない監視画面を録画してしまうという問題がよく発生した。
【０００５】
そのため上述の問題を解決するため、記憶媒体容量の使用を節減するとともに動作検知が誤判断してしまうことを防ぐ監視システムおよびその方法が求められていた。
【発明の開示】
【発明が解決しようとする課題】
【０００６】
本発明の第１の目的は、ユーザが監視したい物件に対してのみ検知を行い、その他の物件の動きに影響されないマルチ領域動作検知機能を有する監視システムおよびその方法を提供することにある。
本発明の第２の目的は、監視システムが重要でない影像変化により録画を行ったりエラーの警告メッセージを発したりすることを防ぐマルチ領域動作検知機能を有する監視システムおよびその方法を提供することにある。
本発明の第３の目的は、ユーザが領域区分および動作検知感度の設定を自ら決定するマルチ領域動作検知機能を有する監視システムおよびその方法を提供することにある。
【課題を解決するための手段】
【０００７】
上述の目的を達成するため、本発明はマルチ領域動作検知（motion detection）機能を有する監視システムを提供する。このマルチ領域動作検知機能を有する監視システムは、表示装置、領域選択装置およびしきい値入力装置を備える。
【０００８】
表示装置は監視画面を表示する。領域選択装置は監視画面上で第１の領域および第２の領域を選択する。しきい値入力装置は、第１の領域の動作検知しきい値および第２の領域の動作検知しきい値を設定する。そして、第１の領域の動作検知結果が第１の領域の動作検知しきい値を超えるときに、監視画面を記憶媒体へ保存する。また、第２の領域の動作検知結果が第２の領域の動作検知しきい値を超えるときに、監視画面を記憶媒体へ保存する。
【０００９】
さらに、本発明は第１の領域の動作検知結果が第１の領域の動作検知しきい値を超え、第２の領域の動作検知結果が第２の領域の動作検知しきい値を超えるときに、監視画面を記憶媒体へ保存する。
【００１０】
本発明はさらにマルチ領域動作検知の方法を提供する。この方法は以下のステップを含む。監視画面上で複数の領域（第１の領域および第２の領域を含む）を選択する。それぞれの領域に動作検知感度を設定する。
【００１１】
動作検知感度を設定するステップは以下のステップを含む。監視画面上で第１の領域および第２の領域を選択する。第１の領域の動作検知しきい値を設定する。第２の領域の動作検知しきい値を設定する。第１の領域の動作検知結果が第１の領域の動作検知しきい値を超えるときに、監視画面を記憶媒体へ保存する。そして、第２の領域の動作検知結果が第２の領域の動作検知しきい値を超えるときに、監視画面を記憶媒体へ保存する。
【発明の効果】
【００１２】
本実施形態は少なくとも次のような長所を有する。そして、それぞれの実施形態は一つ以上の長所を有する。本発明のマルチ領域動作検知機能を有する監視システムおよびその方法は、ユーザが監視したい物件だけに対して動作検知を行うため、その他の物件の動きの影響を受けることがない。本発明の監視システムおよびその方法は、重要でない影像変化のために録画したりエラーの警告メッセージを発することを防ぐ監視システムを提供することにある。本発明の監視システムおよびその方法は、ユーザ自らが領域分割および動作検知感度を設定することができる。
【発明を実施するための最良の形態】
【００１３】
以下、本発明の実施形態を図面に基づいて説明する。
図１は、本発明の一実施形態を示す模式図である。図１に示すように、監視画面１０２はユーザにより第１の領域１０４、第２の領域１０６および第３の領域１０８に分割することができる。各領域はそれぞれ異なる感度の動作検知（motion detection）を行う。そして、異なる感度の動作検知を行うことにより、誤判断を発生させる領域を避けるとともに、高感度検知の領域を増加させることができる。
【００１４】
本実施形態において、ユーザはマウスにより第１の領域１０４、第２の領域１０６および第３の領域１０８を選択することができる。第２の領域１０６は矩形でなくともよく、領域を複数回選択して、これらの選択部分を一緒に合わせてもよい。第３の領域の一部は第２の領域を覆い、覆った部分は第３領域に属する。そして、ユーザは必要に応じて複数の領域を選択することができる。本実施形態では、これをＮ個の領域まで広げて、各領域を同じか異なる感度に設定することができる。
【００１５】
本実施形態の動作検知感度を設定するステップには、第１の領域１０４の動作検知しきい値および第２の領域１０６の動作検知しきい値の設定を含む。第１の領域１０４の動作検知の結果が第１の領域１０４の動作検知しきい値を超えるときに、監視画面１０２を記憶媒体へ保存する。第２の領域１０６の動作検知の結果が第２の領域１０６の動作検知しきい値を超えるときに、監視画面１０２を記憶媒体へ保存する。この記憶媒体は、例えばハードディスクである。
【００１６】
もう一つの実施形態の第１の領域１０４の動作検知の結果が第１の領域の動作検知しきい値を超え、第２の領域１０６の動作検知の結果が第２の領域の動作検知しきい値を超えるとき、監視画面１０２は記憶媒体へ保存される。
【００１７】
第１の領域１０４の動作検知は、例えば前後二フレームのそれぞれの画素数値の違いを比べ、これらの違いを統計して、統計値と動作検知しきい値とを比較して行う。もし統計値が動作検知のしきい値よりも高い場合、第１の領域１０４が撮影した物体は移動した可能性があることを示して録画を開始する。そして、もし統計値が動作検知しきい値よりも低いときは録画を行わない。
【００１８】
同様に、第２の領域１０６も動作検知しきい値が設定され、このしきい値を基に第２の領域１０６も統計値と動作検知しきい値とを比べた差異により録画を行うか否かを判断する。この動作検知にはどのアルゴリズムや計算を用いてもよく、上述のしきい値はこれら様々なアルゴリズム方式のうちの一つがユーザにより決定されたパラメータを示すだけのものであり、このパラメータは画素間の差値を統計したものだけに限定されるわけではない。その他のアルゴリズム方式で使用されるパラメータはしきい値と見なすこともできる。
【００１９】
本実施形態は、選択移動バー１１２を移動して第１の領域１０４の動作検知しきい値を調整することができる。また選択移動バー１１４を移動すると、第２の領域１０６の動作検知しきい値を調整することができる。同様に、選択移動バー１１６を移動すると、第３の領域１０８の動作検知しきい値を調整することができる。これから類推できるように、選択移動バー１１８を移動すると、第Ｎの領域１１０の動作検知しきい値を調整することができる。
【００２０】
本実施形態では、スクリーンを介して第１の領域１０４の動作検知しきい値と第２の領域１０６の動作検知しきい値とを入力する。例えば、第１の領域１０４に対応するブロックがスクリーン上に表示されるため、ユーザは動作検知しきい値を自ら入力することができる。例えば、動作検知しきい値や感度の高低を示す０〜２５５の数値を入力することができる。同様に第２の領域１０６、第３の領域１０８または第Ｎの領域１１０は、数値を入力する方法により動作検知しきい値を設定することができる。
【００２１】
図２は、本発明の一実施形態による監視システムを示す模式図である。図１および図２に示すように、監視画面が表示装置２０２上に表示される。領域選択装置（例えばマウス２０６）は、監視画面上で第１の領域１０４および第２の領域１０６を選択する。そして、しきい値入力装置（例えばキーボード２０４）で第１の領域１０４および第２の領域１０６の動作検知しきい値を設定する。撮影装置２０８は、監視システムの監視画面を提供する。
【００２２】
図３および図４は、本発明の一実施形態による監視システムを応用したときの状態を示す模式図である。図３に示すように、ユーザは監視画面３００で道路上にある自動車３０３を直接に監視せずに、自動車３０１が安全であるか否かを監視する場合、ユーザは監視画面３００を二つの領域（領域３０２および領域３０４）に区分けすることができる。領域３０２は、比較的高い感度か比較的低い動作検知しきい値に設定することができ、領域３０４は、比較的低い感度か比較的高い動作検知しきい値に設定することができる。そのため、自動車３０１が移動したり変化すると、監視システムは録画を開始したり音や画面で警告するが、自動車３０３が道路上で移動しても監視システムは録画を開始したり警告を発したりしない。そのため、ユーザは監視する必要のない物体や事件をフィルタし、監視したい目標だけに集中することができる。
【００２３】
図４を参照する。図４は、事務室の監視画面４００を示す。監視画面４００は、外部の太陽光や天気の変化により窓４０５の影像が頻繁に変化する。ユーザが動作検知の技術により監視録画を行い、窓４０５の影像により影響されずにドア４０３から誰が部屋に入ったかを知りたい場合、監視画面４００を二つの領域（領域４０２および領域４０４）に分割することができる。そして、領域４０２を比較的高い感度か比較的低い動作検知しきい値に設定し、領域４０４を比較的低い感度か比較的高い動作検知しきい値に設定することができる。従って、ドア４０３に何か移動や変化が現れると、監視システムは録画を開始したり音や画面で警告したりする。また、窓４０５に影像の変化があっても、監視システムは録画を行ったり警告したりすることがない。このようにユーザは、必要でない物体や事件をフィルタし、監視を行いたい目標だけに集中することができる。
【００２４】
本発明では好適な実施形態を前述の通り開示したが、これらは決して本発明を限定するものではなく、当該技術を熟知するものなら誰でも、本発明の主旨と領域を脱しない範囲内で各種の変更や修正を加えることができる。従って本発明の保護の範囲は、特許請求の範囲で指定した内容を基準とする。
【図面の簡単な説明】
【００２５】
【図１】本発明の一実施形態を示す模式図である。
【図２】本発明の一実施形態による監視システムを示す模式図である。
【図３】本発明の一実施形態による監視システムを応用した状態を示す模式図である。
【図４】本発明の一実施形態による監視システムを応用した状態を示す模式図である。
【符号の説明】
【００２６】
１０２、３００、４００  監視画面
１０４  第１の領域
１０６  第２の領域
１０８  第３の領域
１１０  第Ｎの領域
１１２、１１４、１１６、１１８  選択移動バー
２０２  表示装置
２０４  キーボード
２０６  マウス
２０８  撮影装置
３０１、３０３  自動車
３０２、３０４、４０２、４０４  領域
４０３  ドア
４０５  窓
【図１】
2006279919.tif 000003
【図２】
2006279919.tif 000004
【図３】
2006279919.tif 000005
【図４】
2006279919.tif 000006